(57)【要約】【課題】本発明は、住宅用建材としてそりの少ない集成材および敷居材を安価に提供するとともに、間伐材やラス材を使用できるようにして森林資源を有効活用することを目的とする。【解決手段】８ｍｍ以上１５ｍｍ未満の天然木の板材を複数枚積層させることにより、長さ方向に沿ってそりが少ない集成材を提供し、板材として杉またはヒノキの間伐材のラス材を使用することにより、間伐材の活用の促進および森林資源を有効活用を実現する。【選択図】図１
2004074444.tif 000002
【特許請求の範囲】
【請求項１】
８ｍｍ以上１５ｍｍ未満の天然木の板材を複数枚積層させた集成材。
【請求項２】
前記板材が杉またはヒノキである請求項１に記載の集成材。
【請求項３】
前記板材が間伐材のラス材である請求項１又は請求項２に記載の集成材。
【請求項４】
８ｍｍ以上１５ｍｍ未満の天然木の板材を複数枚積層させた集成材である芯材と、前記芯材の上面に設けられたしきすべりと、前記芯材の側面に設けられた化粧板を有する敷居材。
【請求項５】
前記板材が杉またはヒノキの間伐材のラス材である請求項４に記載の敷居材。
【発明の詳細な説明】
【０００１】
【発明の属する技術分野】この発明は、板材を積層させた集成材で、住宅内装用建材として用いるものに関するものである。
【０００２】
【従来の技術】住宅用建材としては、一本ものの板材や柱材のほかに、薄い板材を積層させた集成材、あるいは積層材とよばれるものが使われる。高価な一本ものの建材に対して集成材は安価であり、また間伐材等を利用することができるので古木を伐採しなくてもよく、森林資源の有効活用や環境保護の点でも優れるものである。この集成材を芯材とし、外部に化粧板を貼ることにより、一本ものの建材と同様の外観および十分な厚さ・強度を有し、屋内用建材として使用できる。従来の集成材を示すものとして特開平５−１４７０１０号公報があるが、集成材を構成する帯板状芯材は厚さが１．５〜５ｃｍ程度という厚い板材を用いるものである。また、１．５〜５ｃｍ程度と記載されてはいるが、現実的に用いられるのは３０ｍｍ程度のものがほとんどである。
【０００３】
【発明が解決しようとする課題】集成材は複数の板材を積層させたものであるが、長さ方向にそりが生じるという問題があった。集成材を構成する板材は通常３００〜８００ｍｍの長さであり、図２に示すように隣の層の板材の端部の位置を長さ方向にずらして配置して接着していき、長い建材を形成するのであるが、各板材がそることにより全体として長さ方向に沿って左右に変形していた。長さが大きくなるとこの変形は無視できないものとなる。特に、ふすまの走る溝を有する敷居や鴨居として用いる場合にはこのような変形は好ましくない。本発明はかかる問題を解決し、そりの少ない集成材を安価に提供することを目的とする。
【０００４】
【課題を解決するための手段】上記の課題を解決するため、本発明の集成材は８ｍｍ以上１５ｍｍ未満の天然木の板材を複数枚積層させたものである。上述の通り、従来の集成材は３０ｍｍ程度の厚い板材を積層させたものであるが、本発明においてはこれまでの常識に逆らいあえて薄い板材を用いたのである。板材として杉またはヒノキを用いることができ、さらに、間伐材のラス材を用いることができる。また、本発明の敷居材は、８ｍｍ以上１５ｍｍ未満の天然木の板材を複数枚積層させた集成材である芯材と、前記芯材の上面に設けられたしきいすべりと、前記芯材の側面に設けられた化粧板を有するものである。
【０００５】
【発明の実施の形態】本発明に係る集成材および敷居材の実施の形態について説明する。図１に本発明に係る集成材の例の横断面図を示す図２は同縦断面図である。集成材１は複数の板材２ａ、２ｂ…を積層させたものである。板材２は厚さが８ｍｍ以上１５ｍｍ未満のものである。板材２は天然木の板材であるが、本発明において天然木の板材とは合成樹脂や金属等でない木材であることを意味し、また、すでに積層された板材や木材を粉砕し接着剤等で固めたものを含まない。複数の板材を接着剤により貼り合せ、厚みのある建材にしてある。敷居材や鴨居のように屋内で使用する場合はホルマリンを含まない接着剤を用いる。また、各板材２の長さは３００〜８００ｍｍであり、これを図２に示すように隣合う層の板材同士の端部が揃わないようにずらして長さ方向につなぐ。集成材１の長さは用途に応じて適宜選択すればよく、半間（約０．９ｍ）あるいはそれより短くてもよく、５ｍ程度の長いものとしてもよい。このようにして積層されたものはそのまま芯材として供給することができる。
【０００６】本実施形態においては、さらに周囲に化粧板３を貼っている。例えば、０．４ｍｍ程度の化粧板を芯材の周囲に貼ることにより、一本ものの建材と同様の外観を有するものにすることができるが、このように化粧板を貼って柱材や鴨居にしたり、しきいすべりを設けて敷居材として供給してもよい。
【０００７】本発明において板材２を従来の集成材の板材よりも薄くすることが重要である。厚さを１５ｍｍ未満とすることによりそりの少ない集成材ができる。特に１２ｍｍ以下とすることにより、そりをより小さくすることができ、後述の通り杉やヒノキの間伐材から採取したラス材を使用するのにも有利となる。また、厚さを５ｍｍ以上、さらに好ましくは８ｍｍ以上とすることにより板材の加工および積層に要する作業工数を抑えることができる。
【０００８】板材２は天然木のものであれば国産材、輸入材を問わず広く使用できるが、我国において広く栽培されている杉やヒノキを使用するのが好ましい。また、間伐材を用いることもできるが、これは間伐材の活用の促進および森林保護にも資するものである。さらに、板材２はラス材と呼ばれる材料でもよい。図３は伐採された木の断面を示すが、ラス材４とは周辺部よりとられる材料である。通常は木の中心部より太い棒材をとり出し、その残りであるラス材４は高級建材として使用されることはなく廃棄されるか、野地板など限られた用途に利用される程度であった。本発明においては、もちろん中心部よりとられる棒材も使えるが、これまで使われてこなかったラス材も使用することができ、この点においても資源の有効活用および森林保護に資するものである。
【０００９】板材２の貼り合せは年輪の現れる方向を考慮して行われる。木の中心を含むようにして取り出される場合を除いて、板材は木の中心に向いた面（以下「内面」という）と木の外周に向いた面（以下「外面」という）を有する。図１の板材２ａの右側が内面となっている。板材２ａの右隣の板材２ｂは内面が左側にくるように配置する。従って、板材２ａと板材２ｂは内面同士が向き合って貼りあわされる。板材２ｂの右隣の板材２ｃは外面が左側にくるように配置し、板材２ｃとは外面同士で貼りあわされる。すなわち、板材２は交互に年輪の向きが逆になるように並べられるが、このように配列することにより、集成材のそりを小さくすることができる。
【００１０】
【実施例】本発明の集成材の実施例の一つについて説明する。図４は敷居材の断面図である。本実施例においては、板材２は厚さ１０ｍｍの杉材またはヒノキ材で、間伐材よりとったラス材である。９〜１０枚の板材２を接着剤により貼り合せ幅が１００ｍｍ程度の芯材としている。また高さは６０ｍｍ程度である。長さは敷居材が用いられる場所にあわせて選択されるが、通常は一間（約１．８ｍ）であるが、二間（約３．６ｍ）あるいはそれ以上の長さのものにも適用できる。上面中央部には溝が設けられ、モワビ材等の比較的硬い素材でできたしきいすべり６を取り付けてある。しきいすべり６はその上面にふすまが通るための溝を有する。さらに敷居材５の側面と上面には０．４ｍｍ程度の化粧板４を貼りつけている。本実施例は敷居板の例であるので、下面には化粧板を設けていない。
【００１１】以上、本実施例においては厚さ１０ｍｍの板材２を積層させることによりそりが生じにくくなっている。従ってふすまの通る溝の変形も少なく、敷居材として有用なものとなっている。さらに、間伐材よりとったラス材を使うことによりコストを下げるとともに、森林資源の有効利用を実現している。なお、本発明の集成材は敷居材以外にも、鴨居やふすまの横板、かざり柱等さまざまな形態で実施でき、また芯材として流通させる場合にも適用できるものである。
【００１２】
【発明の効果】以上、本発明に係る集成材および敷居材はそり・変形が少なく寸法精度が向上するという効果を有する。また、間伐材やラス材を使うこともできるので、この場合には森林資源の有効活用およびコストダウンの効果も有する。
【図面の簡単な説明】
【図１】本発明に係る集成材を示す横断面図である。
【図２】同縦断面図である。
【図３】木材の断面図である。
【図４】本発明に係る敷居材を示す横断面図である。
【符号の説明】
１．集成材
２．板材
３．化粧板
４．ラス材
５．敷居材
６．しきいすべり
【図１】
2004074444.tif 000003
【図２】
2004074444.tif 000004
【図３】
2004074444.tif 000005
【図４】
2004074444.tif 000006